(57)【要約】【課題】互いに離れて配置されたLED発光ユニット間の中間領域の導光部材を明るく照明して、暗部がなく外観上見栄えの優れた照明器具を提供する。【解決手段】取付基板１１と、レンズ部１７をそれぞれ有して離間配置された複数のLED発光ユニット１２と、LED発光ユニット１２の周囲に配置される導光部材１３と、補助光源１４と、を備える照明器具１０であって、LED発光ユニット１２は、その光軸ＭＬＢと導光部材１３の漏光面３０とが略直交するように配置され、補助光源１４は、その光軸ＳＬＢと導光部材１３の漏光面３０とが平行とされてLED発光ユニット１２間領域に相当する導光部材１３の端部２６に配設される。【選択図】図１
2009283197.tif 000002
【特許請求の範囲】
【請求項１】
取付基板と、取付基板に間隔を隔てて設けられる複数のLED発光ユニットと、LED発光ユニットの周囲に配置される導光部材と、を有し、
前記発光ユニットの光軸と、前記導光部材の漏光面とが略直交するように構成された照明器具。
【請求項２】
請求項１に記載の照明器具であって、
前記発光ユニットは、発光光量の一部を導光部材に配光するレンズ部を有する照明器具。
【請求項３】
請求項１に記載の照明器具であって、
前記導光部材の端部の、前記発光ユニット間領域に相当する領域に補助光源を配設した照明器具。
【請求項４】
請求項３に記載の照明器具であって、
前記補助光源は、その光軸が、前記漏光面に平行となるように配設された照明器具。
【請求項５】
請求項１に記載の照明器具であって、
前記導光部材は四角形であり、前記導光部材の四隅に前記LED発光ユニットが設けられ、前記導光部材の各辺上に等間隔で補助光源が設けられた照明器具。
【発明の詳細な説明】
【技術分野】
【０００１】
本発明は照明器具に係り、特にLED発光ユニットを備える照明器具の改良に関する。
【背景技術】
【０００２】
従来より、LED発光ユニットを備える照明器具として、内部にエアーレンズが設けられた導光板の側面に点光源を配置して、該導光板から出射される光の輝度および強度分布の均一化を図った照明装置が知られている（例えば、特許文献１、特許文献２参照）。また、実装基板上に実装したLEDチップをポッティングして封止部を形成した後、実装したレンズを覆うように色変換部材を装着し、更に配光レンズを固着して製造されるLED照明器具において、実装基板を器具本体に対してボイドレスで固着することにより、歩留まりの向上を図ったLED照明器具の製造方法がある（例えば、特許文献３参照）。
【０００３】
【特許文献１】特開２００４−１６３８８６
【特許文献２】特開２００４−２４１２３７
【特許文献３】特開２００７−８７６６９
【発明の開示】
【発明が解決しようとする課題】
【０００４】
ところで、特許文献１、特許文献２に記載の照明装置は、いずれも１端に光源を設けたいわゆるエッジ光源に関するものであり液晶表示装置などの表示面を均一な輝度で照明するためのバックライト用照明装置である。また、特許文献３に記載のLED照明器具の製造方法によって作成されるLED照明器具は、レンズを備えたLEDチップで構成された発光モジュール直下の照度は高いものの、間隔をあけて設けられた発光モジュール間の中間領域が暗くなるという不都合があり、照明器具としては外観上、見栄えがよくないという問題があった。
【０００５】
本発明は、前述した問題点に鑑みてなされたものであり、非発光領域である、離間配置されたLED発光ユニット間領域（中間領域）を明るく照明して、外観上見栄えの優れた照明器具を提供することを目的とする。
【課題を解決するための手段】
【０００６】
本発明の上記目的は、下記構成により達成される。
本発明の照明器具は、取付基板と、取付基板に間隔をあけて設けられる複数のLED発光ユニットと、LED発光ユニットの周囲に配置される導光部材と、を有し、前記発光ユニットの光軸と、前記導光部材の漏光面とが略直交するように構成されたことを特徴とする。
【０００７】
この構成によれば、LED発光ユニットの光軸と略直交する漏光面を備える導光部材が、LED発光ユニットの周囲に配置されているので、LED発光ユニットから放射した光を、導光部材の漏光面から出射することによって、離間配置されたLED発光ユニット間の中間領域を明るく照明することができ、暗部のない外観的に優れた照明器具を提供することができる。
【０００８】
また本発明は、上記照明器具において、前記発光ユニットが、発光光量の一部を導光部材に配光するレンズ部を有するものを含む。
【０００９】
この構成によれば、発光ユニットがレンズ部を有し、このレンズ部が、発光ユニットから出射される光の一部を導光部材に配光するので、効率よく導光部材中を進行して、暗くなり易い発光ユニット間の中間領域を明るく照明し、照明器具の外観性能を向上させることができる。
【００１０】
また本発明は、上記照明器具において、前記導光部材の端部の、前記発光ユニット間領域に相当する領域に、補助光源を配設したものを含む。
【００１１】
この構成によれば、発光ユニット間領域すなわち、発光ユニットに接していない導光部材の端部に補助光源を配設したので、発光ユニットから遠くに位置して光が届きにくい導光部材の部位も効率よく配光することができ、導光部材中を均一な明るさにすることができる。
【００１２】
また本発明は、上記照明器具において、前記補助光源は、その光軸が、前記漏光面に平行となるように配設されたものを含む。
【００１３】
この構成によれば、補助光源は、その光軸が導光部材の漏光面に平行となるように配設されているので、補助光源の光が効率的に導光部材に配光されて発光ユニット間の中間領域を進行するようにすることができる。
【００１４】
また本発明は、上記照明器具において、前記導光部材が四角形であり、前記導光部材の四隅に前記LED発光ユニットが設けられ、前記導光部材の各辺上に等間隔で補助光源が設けられたものを含む。
この構成によれば、発光ユニットに接していない導光部材の端部に補助光源を配設したので、発光ユニットから遠くに位置して光が届きにくい導光部材の部位も効率よく配光することができ、導光部材中を均一な明るさにすることができる。
【発明の効果】
【００１５】
本発明によれば、従来のような、間隔をあけて設けられた発光モジュール間の中間領域が暗くなるという問題を解消でき、照明器具の全面から配光し、暗部のない外観的に優れた照明器具を得ることができる。
【発明を実施するための最良の形態】
【００１６】
以下、本発明の実施の形態の照明器具を図面を参照しつつ詳細に説明する。図１は本発明に係る照明器具の正面図、図２は照明器具の分解斜視図、図３は図１に示す照明器具のＡ−Ａ断面図、図４は図１に示す照明器具のＢ−Ｂ断面図である。
【００１７】
図１および図２に示すように、本発明の照明器具１０は、取付基板１１と、複数のLED発光ユニット１２と、導光部材１３と、補助光源１４と、を備える。取付基板１１は、略矩形形状に形成された基板であり、その中央部および４つの角部にそれぞれLED発光ユニット１２が配置されている。また、取付基板１１の４辺の外縁部には、LED発光ユニット１２間領域に、等間隔でそれぞれ２個ずつ、合計８個の補助光源１４が配置されている。
【００１８】
照明器具１０は、複数のLED発光ユニット１２および補助光源１４が配置された取付基板１１が、表面側に配置された導光部材１３と、裏面側に配置された裏面カバー４０とによって狭持され、その４辺の側面が断面略コの字型の枠体４１によって覆われて組み付けられている。
【００１９】
各LED発光ユニット１２は、図３に示すように、取付基板１１の表面側にポッティングされて配設されたLEDチップ１５と、このLEDチップ１５を覆うように前面に配置された略矩形形状のレンズ部１７と、を有する。LEDチップ１５は、裏面カバー４０に配置された点灯回路１６に電気的に接続されており、点灯回路１６によって点灯制御されて光を放射する。LEDチップ１５の光軸ＭＬＢは、取付基板１１に対して直角方向に設定されている。換言すれば、LED発光ユニット１２の光軸ＭＬＢと、後述する導光部材１３の漏光面３０とは、略直交するように設定されている。
【００２０】
レンズ部１７は、透明または半透明の樹脂材料によって成形されており、LEDチップ１５に対向する面（図３においては上面）に凹部１８が形成されている。LEDチップ１５は、凹部１８内に収容されて、その前面が覆われている。また、レンズ部１７の表面１９（図３においては下面）は、平滑とされて透光性の良好な平面となっている。４つの矩形平面からなる外周面（側面）２０は、LEDチップ１５から離れるにしたがって外側に傾斜する傾斜面となっている。
【００２１】
図４に示すように、補助光源であるLED１４は、直角に折り曲げ形成されたリード線２１が、半田２２によって取付基板１１に半田付けされて固定されている。これにより、補助光源（LED）１４は、その光軸ＳＬＢが取付基板１１に対して平行となっている。換言すれば、補助光源１４の光軸ＳＬＢと、導光部材１３の漏光面３０とが、平行となるように設定されている。
【００２２】
導光部材１３は、例えば、アクリル樹脂や、ポリカーポネート樹脂によって取付基板１１と略同じ大きさに形成された板状部材であり、取付基板１１のLED発光ユニット１２に対応する位置、具体的には、導光部材１３の中央部と４隅部に、それぞれレンズ部１７を収容するための角穴３１および矩形切り欠き３２が形成されている。
【００２３】
導光部材１３は、角穴３１および矩形切り欠き３２にレンズ部１７を収容した状態で、スペーサ２５を介して取付基板１１に固定される。これにより、補助光源１４は、導光部材１３の４辺の側面２６に、それぞれ対向配置される。そして、取付基板１１の裏面側に裏面カバー４０を配置して導光部材１３と裏面カバー４０とで取付基板１１を狭持した後、断面コの字型の枠体４１を取り付けて取付基板１１の側面および補助光源１４を覆う。
【００２４】
本実施の形態の照明器具の作用について図３および図４に基づいて説明する。図３に示すように、点灯回路１６によって制御されてLEDチップ１５が点灯すると、LEDチップ１５から放射された光は、凹部１８からレンズ部１７内に入射し、レンズ部１７の表面１９から出射して近傍空間を照明する。
【００２５】
このとき一部の光は、直接、あるいはレンズ部１７の表面１９で反射して、レンズ部１７の外周面２０と対向する導光部材１３の側面から導光部材１３内に入射し、導光部材１３内を反射しながら進行して、漏光面３０から出射してLED発光ユニット１２近傍の導光部材１３中を進行する。
【００２６】
このように、LED発光ユニット１２から放射された光は、レンズ部１７の表面１９から出射して空間を照明すると共に、その一部は導光部材１３に配光されて導光部材１３中を進行し、導光部材全体が均一に発光しているように見える。
【００２７】
しかし、LED発光ユニット１２は、互いに間隔をあけて設けられているので、LED発光ユニット１２から離れた領域では、必ずしも十分な光量が得られない場合がある。図４に示すように、補助光源（LED）１４は、間隔をあけて配置されたLED発光ユニット１２の中間部、即ち、LED発光ユニット１２の光が届き難い位置に配置されており、その光軸ＳＬＢが、導光部材１３の漏光面３０と平行に設定されているので、補助光源１４から放射される殆どの光が、導光部材１３の側面２６から導光部材１３内に入射し、導光部材１３内を反射しながら進行する。これにより、補助光源１４からの光は、暗くなり易い、LED発光ユニット１２から離れた部分で導光部材１３に入射し効果的に進行し、前面が発光しているかのようにみえる。
【００２８】
上記したように、本実施の形態の照明器具１０によれば、LED発光ユニット１２は、その光軸ＭＬＢ上にレンズ部１７を備えているので、LED発光ユニット１２から放射される光によって周囲の空間を効率的に照明することができる。また、導光部材１３が、LED発光ユニット１２の光軸ＭＬＢと導光部材１３の漏光面３０とが略直交するようにされてLED発光ユニット１２の周囲に配置され、更に補助光源１４が、LED発光ユニット１２に接していない導光部材１３の端部に配置されているので、LED発光ユニット１２からの光が届きにくいLED発光ユニット１２間の中間領域の導光部材１３中が効率よく均一な明るさで発光しているようにみせることができ、暗部のない外観上優れた照明器具１０が得られる。
【００２９】
なお、本発明の照明器具は、前述した実施の形態に限定されるものでなく、適宜な変形、改良等が可能である。
例えば、LED発光ユニットの配置は四隅に限定されることなく、適宜変更可能である。
【００３０】
例えば、前述した実施の形態において、発光ユニットとしてLEDチップを例示したが、本発明の発光ユニットは他の形式の発光ユニットにも適用可能であり、同様の効果を奏する。
【図面の簡単な説明】
【００３１】
【図１】本発明に係る照明器具の正面図
【図２】照明器具の分解斜視図
【図３】図１に示すＡ−Ａ断面図
【図４】図１に示すＢ−Ｂ断面図
【符号の説明】
【００３２】
１０    照明器具
１１    取付基板
１２    発光ユニット
１３    導光部材
１４    補助光源
１７    レンズ部
２６    導光部材の端部
３０    漏光面
ＭＬＢ    発光ユニットの光軸
ＳＬＢ    補助光源の光軸
【図１】
2009283197.tif 000003
【図２】
2009283197.tif 000004
【図３】
2009283197.tif 000005
【図４】
2009283197.tif 000006